Podtech/llm-jp-corpus-v4-ja_patent huggingface dataset:
【手続補正書】
【提出日】平成22年12月10日(2010.12.10)
【手続補正１】
【補正対象書類名】特許請求の範囲
【補正対象項目名】全文
【補正方法】変更
【補正の内容】
【特許請求の範囲】
【請求項１】
傾いて支持された振動スクリーンを設け、
該振動スクリーン上に膨張したパーライトを置き、
膨張したパーライトをアニールするのに十分な温度に膨張したパーライトを加熱する速度で、膨張したパーライトをスクリーンの上を移動させてバーナーを通過させ、
膨張したパーライトを移動させてバーナーから離れさせ、そして
膨張したパーライトを冷却する
ことからなることを特徴とする膨張したパーライトの水要求度を減らす方法。
【請求項２】
該第１の移動工程が、スクリーンを振動して膨張したパーライトを移動させる請求項１の方法。
【請求項３】
該振動工程が、偏心振動機および偏向要素を利用してスクリーンを振動することからなる請求項２の方法。
【請求項４】
偏向要素がスプリングからなる請求項３の方法。
【請求項５】
該膨張したパーライトが約３−約８Ｌｂ／ｆｔ３（約４８−約１２８ｋｇ／ｍ３）の密度を有する請求項１〜４のいずれか１項に記載の方法。
【請求項６】
該第２の移動工程が、膨張したパーライトを加熱空気流中に随伴することを含む請求項１〜５のいずれか１項に記載の方法。
【請求項７】
該設定工程の角度が、水平面から約３０−約５０度である請求項１〜６のいずれか１項に記載の方法。
【請求項８】
請求項１〜７のいずれか１項に記載の方法によりパーライトをアニールし、
硫酸カルシウム半水和物、アニールしたパーライト、添加物および水のスラリーをつくり、
スラリーを石膏製品の形状へ形成し、そして
硫酸カルシウム半水和物を硬化させる
ことからなることを特徴とする石膏製品を製造する方法。
【請求項９】
サンドウィッチ状物をスクリードバーの下を通してそれを均一な厚さへ圧縮することをさらに含む請求項８の方法。
【請求項１０】
該形成工程が、スラリーの水フェルト化および注型化からなる群の１つである請求項８又は９に記載の方法。
【手続補正書】
【提出日】平成22年11月15日(2010.11.15)
【手続補正１】
【補正対象書類名】特許請求の範囲
【補正対象項目名】全文
【補正方法】変更
【補正の内容】
【特許請求の範囲】
【請求項１】
次の式Ｉの化合物。【化１】
2010513293.tif 000001
式中、Ｒ１、Ｒ２、Ｒ３、Ｒ５、Ｒ６及びＲ７は各々独立にＣ１−Ｃ２０脂肪族基、Ｃ３−Ｃ２０芳香族基又はＣ３−Ｃ２０脂環式基であり、Ｒ４及びＲ８は各々独立に水素、Ｃ１−Ｃ２０脂肪族基、Ｃ３−Ｃ２０芳香族基又はＣ３−Ｃ２０脂環式基であり、ａ及びｅは各々独立に０又は１〜４の整数であり、ｂ、ｃ、ｄ及びｆは各々独立に０又は１〜３の整数である。
【請求項２】
Ｒ４及びＲ８が各々独立に水素、トリアリールシリル、トリアルキルシリル、ｔ−ブチル、ジフェニルホスフィンオキシド及びジフェニルホスフィンスルフィドからなる群から選択される、請求項１記載の化合物。
【請求項３】
ａ及びｅが０である、請求項１記載の化合物。
【請求項４】
ｂ、ｃ、ｄ及びｆが０である、請求項１記載の化合物。
【請求項５】
次式で表される、請求項１記載の化合物。【化２】
2010513293.tif 000002
式中、Ｒ４及びＲ８は各々独立に水素、トリアリールシリル、トリアルキルシリル、ｔ−ブチル、ジフェニルホスフィンオキシド及びジフェニルホスフィンスルフィドからなる群から選択される。
【請求項６】
次式で表される、請求項１記載の化合物。【化３】
2010513293.tif 000003
【請求項７】
次の式ＩＩで表される構造単位を含むポリマー。【化４】
2010513293.tif 000004
式中、Ｒ１、Ｒ２、Ｒ３、Ｒ５、Ｒ６及びＲ７は各々独立にＣ１−Ｃ２０脂肪族基、Ｃ３−Ｃ２０芳香族基又はＣ３−Ｃ２０脂環式基であり、Ｒ４及びＲ８は各々独立に水素、Ｃ１−Ｃ２０脂肪族基、Ｃ３−Ｃ２０芳香族基又はＣ３−Ｃ２０脂環式基であり、ａ及びｅは各々独立に０又は１〜４の整数であり、ｂ、ｃ、ｄ及びｆは各々独立に０又は１〜３の整数である。
【請求項８】
当該ポリマーが、ポリエステル、ポリエーテル、ポリカーボネート、ポリエステルカーボネート、ポリエーテルイミド、ポリアリールエーテルケトン又はポリアリールエーテルスルホンである、請求項７記載のポリマー。
【請求項９】
Ｒ４及びＲ８が各々独立に水素、トリアリールシリル、トリアルキルシリル、ｔ−ブチル、ジフェニルホスフィンオキシド、ジフェニルホスフィンスルフィド及びこれらの組合せからなる群から選択される、請求項７記載のポリマー。
【請求項１０】
ａ及びｅが０である、請求項７記載のポリマー。
【請求項１１】
ｂ、ｃ、ｄ及びｆが０である、請求項７記載のポリマー。
【請求項１２】
次式で表される、請求項７記載のポリマー。【化５】
2010513293.tif 000005
式中、Ｒ４及びＲ８は各々独立に水素、トリアリールシリル、トリアルキルシリル、ｔ−ブチル、ジフェニルホスフィンオキシド、ジフェニルホスフィンスルフィド及びこれらの組合せからなる群から選択される。
【請求項１３】
次式で表される、請求項７記載のポリマー。【化６】
2010513293.tif 000006
【請求項１４】
さらに、次式で表される構造単位を含む、請求項７記載のポリマー。【化７】
2010513293.tif 000007
【請求項１５】
少なくとも１つの電極、  少なくとも１つの正孔注入層、及び  少なくとも１つの発光層を備え、  前記発光層が構造単位を含む請求項１乃至１４のいずれか１項記載のポリマーを含有する、発光デバイス。【化８】
2010513293.tif 000008
式中、Ｒ１、Ｒ２、Ｒ３、Ｒ５、Ｒ６及びＲ７は各々独立にＣ１−Ｃ２０脂肪族基、Ｃ３−Ｃ２０芳香族基又はＣ３−Ｃ２０脂環式基であり、Ｒ４及びＲ８は各々独立に水素、Ｃ１−Ｃ２０脂肪族基、Ｃ３−Ｃ２０芳香族基又はＣ３−Ｃ２０脂環式基であり、ａ及びｅは各々独立に０又は１〜４の整数であり、ｂ、ｃ、ｄ及びｆは各々独立に０又は１〜３の整数である。
【手続補正書】
【提出日】平成22年12月9日(2010.12.9)
【手続補正１】
【補正対象書類名】特許請求の範囲
【補正対象項目名】全文
【補正方法】変更
【補正の内容】
【特許請求の範囲】
【請求項１】
レニン阻害剤または薬学的に許容されるその塩を有効成分として含む、肥満患者における高血圧の予防、進行遅延または処置のための薬剤。
【請求項２】
レニン阻害剤が、式(I)
【化１】
2010513300.tif 000001
で示される化合物または薬学的に許容されるその塩である、請求項1に記載の薬剤。
【請求項３】
肥満患者が>30 kg/m2のBMIを有する、請求項1または2に記載の薬剤。
【請求項４】
肥満患者が>40 kg/m2のBMIを有する、請求項3に記載の薬剤。
【請求項５】
利尿薬と組合わせて使用することを特徴とする、請求項1から3のいずれか1項に記載の薬剤。
【請求項６】
利尿薬がヒドロクロロチアジドである、請求項5に記載の薬剤。
【請求項７】
肥満患者における高血圧の予防、進行遅延または処置用医薬の製造のためのレニン阻害剤または薬学的に許容されるその塩の使用。
【請求項８】
レニン阻害剤が、式(I)
【化２】
2010513300.tif 000002
で示される化合物または薬学的に許容されるその塩である、請求項7に記載の使用。
【請求項９】
肥満患者が>30 kg/m2のBMIを有する、請求項7または8に記載の使用。
【請求項１０】
肥満患者が>40 kg/m2のBMIを有する、請求項9に記載の使用。
【請求項１１】
肥満患者における高血圧の予防、進行遅延または処置用医薬の製造のための利尿薬と組合わせたレニン阻害剤または薬学的に許容されるその塩の使用。
【請求項１２】
レニン阻害剤が、式(I)
【化３】
2010513300.tif 000003
で示される化合物または薬学的に許容されるその塩である、請求項11に記載の使用。
【請求項１３】
利尿薬がヒドロクロロチアジドである、請求項11または12に記載の使用。
【請求項１４】
肥満患者が>30 kg/m2のBMIを有する、請求項11から13のいずれか1項に記載の使用。
【請求項１５】
肥満患者が>40 kg/m2のBMIを有する、請求項14に記載の使用。
【手続補正２】
【補正対象書類名】明細書
【補正対象項目名】０００３
【補正方法】変更
【補正の内容】
【０００３】
腎臓から放出されたレニンは、循環血液中でアンジオテンシノーゲンを切断し、デカペプチドアンジオテンシンIを形成する。これは、次いで、肺、腎臓および他の器官で、アンジオテンシン変換酵素により切断され、オクタペプチドアンジオテンシンIIを形成する。オクタペプチドは、直接、動脈血管収縮により、および間接的に、副腎からのナトリウムイオン保持ホルモンアルドステロンの放出、その後の細胞外液容積の増加により、血圧を上昇させる。レニンの酵素学的活性の阻害剤は、アンジオテンシンIの形成における減少を生じる。結果として、少量のアンジオテンシンIIが産生される。その活性ペプチドホルモンの濃度の減少は、例えば、レニン阻害剤の抗高血圧効果の直接的な原因である。したがって、レニン阻害剤、またはその塩を、例えば、抗高血圧剤として、または鬱血性心不全および他の高血圧の合併症、例えば、卒中を処置するために使用し得る。
【手続補正３】
【補正対象書類名】明細書
【補正対象項目名】０００５
【補正方法】変更
【補正の内容】
【０００５】
肥満である高血圧患者の割合は、ここ数年、徐々に増えてきている。75%の肥満患者が高血圧を有することを考慮すると(しかし、20%未満は、<140/90 mmHgに制御されたBPを有する)、この患者集団の新規抗高血圧処置オプションのための明確な必要性が存在する。しかしながら、現在のガイドラインは、この患者集団の処置のための特定の手引きを提供しない。高血圧は、肥満を患う患者で処置するのをますます困難にしてきている。共存する危険因子もしくは状態を有する患者で標的血圧目標を達成するために、これらの患者では不十分な応答が得られるので、しばしば、特別な処置を必要とする。血圧または他の病的状態が不十分に修飾されると、患者は、重篤な有害事象、例えば、心筋梗塞、卒中および進行性器官損傷のより大きなリスクを伴う。
【手続補正４】
【補正対象書類名】明細書
【補正対象項目名】００５３
【補正方法】変更
【補正の内容】
【００５３】
本発明は、同様に、組合わせ剤、例えば、心血管疾患および関連する状態ならびに上記および下記した疾患の処置のために、レニン阻害剤を、単独で、または利尿薬と組合わせて、さらに少なくとも1個の薬剤と、または、各々の場合に、薬学的に許容されるその塩と組合わせて含む医薬的組合わせ剤に関する。
【手続補正書】
【提出日】平成22年11月25日(2010.11.25)
【手続補正１】
【補正対象書類名】特許請求の範囲
【補正対象項目名】全文
【補正方法】変更
【補正の内容】
【特許請求の範囲】
【請求項１】
口腔表面を処置するための方法であって、
硬化性歯科用組成物を前記口腔表面に適用する工程であって、前記硬化性歯科用組成物が、
硬化性成分と、
前記硬化性歯科用組成物の硬化を開始するための反応開始剤と、
４．５未満のｐＫａを有する酸性成分と、
アミノアントラキノン染料、アゾ染料、及びこれらの組み合わせからなる群から選択される光退色性染料と、を含む工程と、
前記硬化性歯科用組成物を硬化する工程と、
硬化直後の前記硬化された歯科用組成物の色を観察し、硬化後に体温又は体温付近で少なくとも３日間エイジングした後の前記硬化された歯科用組成物のエイジングされた色を観察して、前記エイジングされた色が、硬化直後の色と実質的に同じであることを判定する工程とを含む、方法。
【手続補正書】
【提出日】平成22年12月14日(2010.12.14)
【手続補正１】
【補正対象書類名】特許請求の範囲
【補正対象項目名】全文
【補正方法】変更
【補正の内容】
【特許請求の範囲】
【請求項１】
広汎性発達障害の治療に1日の唯一のタンパク源として或いはタンパク補充源として投与される薬剤の製造のための、唯一のタンパク源として遊離アミノ酸を含有する経口投与可能な栄養製剤の使用。
【手続補正書】
【提出日】平成22年12月13日(2010.12.13)
【手続補正１】
【補正対象書類名】特許請求の範囲
【補正対象項目名】全文
【補正方法】変更
【補正の内容】
【特許請求の範囲】
【請求項１】
０．１〜１０％（ｗ／ｗ）、好ましくは０．２〜６％（ｗ／ｗ）の濃度の過酸化水素と、０．１〜２０％（ｗ／ｗ）、好ましくは０．１〜１０％（ｗ／ｗ）、より好ましくは０．２〜８％（ｗ／ｗ）、及び最も好ましくは０．２〜５％（ｗ／ｗ）の範囲のＮ−アシル化アミノ酸及び／又はペプチド、又はそれらの塩とを含む、皮膚殺菌の為の組成物であって、該組成物が油相及び水相を含む場合、該組成物が２０％の濃度の自己乳化性基剤であるＰｒｏｔｅｌａｎ  ＥＮＳを含まない、前記組成物。
【請求項２】
水性の溶液である、請求項１の組成物。
【請求項３】
２〜６、好ましくは３〜６、最も好ましくは３．５〜５の範囲のｐＨを有する、請求項１〜２のいずれか１項の組成物。
【請求項４】
該Ｎ−アシル化アミノ酸及び／又はペプチドが５〜２１の炭素原子を有するアシル基を含む、請求項１〜３のいずれか１項の組成物。
【請求項５】
該Ｎ−アシル化アミノ酸及び／又はペプチドが、Ｎ−アシル化極性アミノ酸、好ましくはＮ−アシル化グルタミン酸である、請求項１〜４のいずれか１項の組成物。
【請求項６】
Ｎ−アシル化アミノ酸及び／又はペプチドがＮ−アシル化コムギタンパク質加水分解物である、請求項１〜５のいずれか１項の組成物。
【請求項７】
両性、陰イオン性、陽イオン性及び／又は非イオン性の界面活性剤をさらに含む、請求項１〜６のいずれか１項の組成物。
【請求項８】
該両性界面活性剤が、両性アルキルポリグルコシド、アルキルベタイン、アルキルアミドプロピルベタイン、アルキルアミドプロピルベタインアミド、アルキルスルホベタイン、アミンオキシド、アンホカルボキシアセテート、アンホカルボキシジアセテート、アンホカルボキシプロピオネート、アンホカルボキシジプロピロネート、及び／又はそれらの誘導体から選ばれる、請求項７の組成物。
【請求項９】
該陰イオン性界面活性剤が、アルキルサルフェート、アルキルエーテルサルフェート、アミド／アミドエーテルサルフェート、アルキルセミスルホスクシネート、アルキルスルホスクシネート、アルキルエーテルセミスルホスクシネート、アルキルエーテルスルホスクシネート、アシルアミドセミスルホスクシネート、アシルアミドスルホスクシネート、ドデシルベンゼンスルホン酸、アルキル／アルキルエーテルスルホアセテート、スルホン化及び／又は硫酸化有機分子の塩、アルキル／アルキルエーテル  カルボキシレート、アルキルホスホネート、リン酸のエステル、アシルイソチオネート、及びそれらの塩から選ばれる、請求項７の組成物。
【請求項１０】
該陽イオン界面活性剤が、スキンコンディショニング陽イオン性ポリマーから、好ましくはポリクオタニウム−タイプの界面活性剤から選ばれる、請求項７の組成物。
【請求項１１】
該非イオン性界面活性剤が、アミド、エトキシル化及び非エトキシル化脂肪族アミン、エトキシル化ノニルフェノール、ＡＰＧ（アルキルポリグルコシド）、ＡＥＧ（アルキルエトキシグルコシド）、グリセロール及び／又はエトキシル化及び非エトキシル化糖と脂肪酸とのエステル／エーテル、エトキシル化／プロポキシル化及び非エトキシル化／非プロポキシル化エステル、エトキシル化／プロポキシル化及び非エトキシル化／非プロポキシル化脂肪アルコールから選ばれる、請求項７の組成物。
【請求項１２】
カルボン酸又はその塩をさらに含む、請求項１〜１１のいずれか１項の組成物であって、好ましくは該カルボン酸が、クエン酸、グリコール酸、乳酸、安息香酸、サリチル酸、２−フランカルボン酸から選ばれる上記組成物。
【請求項１３】
皮膚軟化剤をさらに含む、請求項１〜１２のいずれか１項の組成物であって、好ましくは該皮膚軟化剤がグリセロール、グリセリド、ポリグリセロール、アロエベラ、ビタミンＥ、ソルビトール、アラントイン、カチオン剤、ポリマー、ヒマシ油、ラノリン及びその誘導体及びセチルアルコールから選ばれる上記組成物。
【請求項１４】
安定剤、真珠様光沢剤、増粘剤、保存料、着色剤又は染料及び香料をさらに含む、請求項１〜１３のいずれか１項の組成物。
【請求項１５】
皮膚又は粘膜の殺菌の為に、請求項１〜１４のいずれか１項の組成物を使用する方法。
【請求項１６】
抗微生物性組成物として日常使用の為に、請求項１〜１４のいずれか１項の組成物を使用する方法。
【請求項１７】
皮膚感染又は皮膚疾患を予防し、制御し又は治療する為に、請求項１〜１４のいずれか１項の組成物を使用する方法。
【手続補正書】
【提出日】平成22年12月10日(2010.12.10)
【手続補正１】
【補正対象書類名】特許請求の範囲
【補正対象項目名】全文
【補正方法】変更
【補正の内容】
【特許請求の範囲】
【請求項１】
配列番号４、配列番号６、配列番号１４、配列番号１８、配列番号２０、配列番号２５、配列番号３０、配列番号３５、配列番号３７、及び配列番号１０、並びにこれらのアナログからなる群から選択されるポリペプチド。
【請求項２】
前記配列番号４、配列番号６、配列番号１４、配列番号１８、配列番号２０、配列番号２５、配列番号３０、配列番号３５、配列番号３７、および配列番号１０からなる群から選択されるポリペプチドが、Ｎ末端で２０アミノ酸トランケートされた、請求項１に記載のポリペプチド。
【請求項３】
前記ポリペプチドがＰＥＧ化された請求項１または２に記載のポリペプチド。
【請求項４】
ａ）請求項１〜３のいずれか１項に記載のポリペプチドおよびｂ）薬学的に許容されるキャリアを含む医薬組成物。
【請求項５】
前記キャリアが組織接着剤を含む、請求項４に記載の医薬組成物。
【請求項６】
被療者における脊髄損傷を治療するための、請求項４または５に記載の医薬組成物。
【請求項７】
前記被療者が、脳梗塞、手術、梗塞症、感染症、毒性薬剤への暴露、悪性腫瘍または腫瘍随伴症候群、外傷または事故による損傷を原因とする神経系損傷を有する、請求項６に記載の医薬組成物。
【手続補正書】
【提出日】平成22年11月17日(2010.11.17)
【手続補正１】
【補正対象書類名】特許請求の範囲
【補正対象項目名】全文
【補正方法】変更
【補正の内容】
【特許請求の範囲】
【請求項１】
式
【化１】
2010513360.tif 000001
を有するキサントフモールおよび
式
【化２】
2010513360.tif 000002
を有するイソキサントフモールの少なくとも一方を活性物質として含む肝疾患を予防および／または制御するための製剤。
【請求項２】
前記肝疾患が、肝硬変症または肝線維症であることを特徴とする請求項１に記載の製剤。
【請求項３】
前記肝疾患が、ウィルス性肝炎であることを特徴とする請求項１に記載の製剤。
【請求項４】
前記肝疾患が、非アルコール性脂肪肝炎（ＮＡＳＨ）であることを特徴とする請求項１に記載の製剤。
【請求項５】
前記肝疾患が、肝臓癌であることを特徴とする請求項１に記載の製剤。
【請求項６】
遊離酸素ラジカルの活性を低減または抑制するための請求項１に記載の製剤。
【請求項７】
ＮＦ−カッパＢ因子に影響を及ぼすための請求項１に記載の製剤。
【請求項８】
薬学的に許容される担体を更に含む請求項１〜７のいずれかに記載の製剤。
【請求項９】
液剤、懸濁剤もしくは乳剤の形態、ナノ粒子の形態、または粉末剤もしくはゲル剤の形態である請求項１〜８のいずれかに記載の製剤。
【請求項１０】
前記活性物質が０．０１ｍｇ／ｋｇ（人の体重）／日より大きい量で投与されることを特徴とする請求項１〜９のいずれかに記載の製剤。
【請求項１１】
前記活性物質の含有量が、０．１重量％〜９９重量％であることを特徴とする請求項１〜１０の少なくとも一項に記載の製剤。
【請求項１２】
式
【化３】
2010513360.tif 000003
を有するキサントフモールおよび
式
【化４】
2010513360.tif 000004
を有するイソキサントフモールの少なくとも一方を活性物質として含む食物。
【請求項１３】
前記食物が、飲料である請求項１２に記載の食物。
【請求項１４】
遊離酸素ラジカルの活性を低減または抑制するための請求項１２または１３に記載の食物。
【請求項１５】
ＮＦ−カッパＢ因子に影響を及ぼすための請求項１２または１３に記載の食物。
【請求項１６】
式
【化５】
2010513360.tif 000005
を有するキサントフモールおよび
式
【化６】
2010513360.tif 000006
を有するイソキサントフモールの少なくとも一方を活性物質として含む脂肪過多症および／または糖尿病患者が定期的に予防摂取して脂肪過多症および／または糖尿病による肝疾患を予防するための栄養補助食品。
【手続補正書】
【提出日】平成22年12月20日(2010.12.20)
【手続補正１】
【補正対象書類名】特許請求の範囲
【補正対象項目名】全文
【補正方法】変更
【補正の内容】
【特許請求の範囲】
【請求項１】
２または３つのＣ１〜Ｃ４のアルキル基、ヒドロアルキル基またはホルミル基を有するベンゼンまたはナフタレン化合物の液相酸化によって芳香族ポリカルボン酸を調製する方法であって、反応区域において、カルボン酸溶媒と、コバルト、マグネシウム、クロム、銅、ニッケル、バナジウム、鉄、モリブデン、スズ、セリウムおよびジルコニウムからなる群より選択される金属を少なくとも１種類含む触媒と、促進剤との存在下で、前記化合物を酸素含有ガス酸化剤と接触させる工程を有してなる方法において、前記促進剤が、有機陽イオンおよび臭化物またはヨウ化物陰イオンを含み、２００℃未満の融点を有するイオン性液体であることを特徴とする方法。
【請求項２】
前記ポリカルボン酸がテレフタル酸またはイソフタル酸であり、前記ベンゼン化合物がｐ−キシレンまたはｍ−キシレンであることを特徴とする請求項１記載の方法。
【請求項３】
前記溶媒が酢酸であることを特徴とする請求項１または２記載の方法。
【請求項４】
前記触媒がコバルトおよびマンガンを含むことを特徴とする請求項１から３いずれか１項記載の方法。
【請求項５】
前記触媒がアルカリ金属をさらに含むことを特徴とする請求項１から４いずれか１項記載の方法。
【請求項６】
前記酸化剤が酸素または空気であることを特徴とする請求項１から５いずれか１項記載の方法。
【請求項７】
前記反応区域における温度が１５０〜２５０℃であり、圧力が１．５〜２．５ＭＰａであることを特徴とする請求項１から６いずれか１項記載の方法。
【請求項８】
前記イオン性液体が、陽イオンとして第四級窒素含有する基を含有することを特徴とする請求項１から７いずれか１項記載の方法。
【請求項９】
前記陰イオンが臭化物であることを特徴とする請求項１から８いずれか１項記載の方法。
【請求項１０】
前記促進剤が臭化１−エチル−３−メチルイミダゾリウムであることを特徴とする請求項１から９いずれか１項記載の方法。
【請求項１１】
前記促進剤が、溶媒に基づいて１０〜１００００ｐｐｍの濃度で存在することを特徴とする請求項１から１０いずれか１項記載の方法。
【請求項１２】
テレフタル酸を調製するための、請求項１記載の方法であって、反応区域において、１５０〜２５０℃の温度で、１．５〜２．５ＭＰａの圧力で、溶媒としての酸性酸と、コバルト−マンガン触媒と、促進剤としての第四級窒素含有基陰イオンおよび臭化物陰イオンを含有するイオン性液体との存在下で、ｐ−キシレンを空気により酸化させる工程を有してなる方法。
【請求項１３】
前記触媒がアルカリ金属をさらに含むことを特徴とする請求項１２記載の方法。
【請求項１４】
前記促進剤が、溶媒に基づいて１０〜１００００ｐｐｍの濃度で存在する、臭化１−エチル−３−メチルイミダゾリウムであることを特徴とする請求項１２または１３記載の方法。
【手続補正書】
【提出日】平成22年12月14日(2010.12.14)
【手続補正１】
【補正対象書類名】特許請求の範囲
【補正対象項目名】全文
【補正方法】変更
【補正の内容】
【特許請求の範囲】
【請求項１】
タングステン及び/又はタングステン化合物を含み、大腸内のガス発生及びこれに起因する放屁又は鼓張を回避又は低減するために哺乳動物に投与する組成物。
【請求項２】
タングステン及び/又はタングステン化合物が哺乳動物の大腸内で遊離するようにガレノス式又は化学的に調製されていることを特徴とする請求項１記載の組成物。
【請求項３】
化学的調製は、哺乳動物の小腸内で分解不能又は吸収不能な化学的化合物、好ましくはフィチン酸、シュウ酸又はタンニン若しくはタンニン酸に1種類以上の鉱物質を結合することによって実現されていることを特徴とする請求項２記載の組成物。
【請求項４】
ガレノス式調製は、加工、特に組成物を哺乳動物の胃及び/又は小腸で不溶な少なくとも1種類の製薬助剤で被覆及び/又は圧縮することによって実現されていることを特徴とする請求項２記載の組成物。
【請求項５】
ガレノス式調製は、1種類以上のタングステン又はタングステン化合物が胃を通過した後、連続的に3 時間、好ましくは最長48時間に亙って遊離するように構成されていることを特徴とする請求項２又は４記載の組成物。
【請求項６】
更に1種類以上の酢酸生成菌株を含むことを特徴とする請求項１から５のいずれか1項記載の組成物。
【請求項７】
少なくとも1種類の酢酸生成菌株は、ルミノコッカス属、ユーバクテリウム属、クロストリジウム属からなるグループより選出されていることを特徴とする請求項６記載の組成物。
【請求項８】
少なくとも1種類の酢酸生成菌株は、ルミノコッカス・ハイドロジェノトロフィカス、 ルミノコッカス・プロダクタス、ユーバクテリウム・リモサス、クロストリジウム・コッコイデス、クロストリジウム・フォルミコアセチカムであることを特徴とする請求項７記載の組成物。
【請求項９】
更に1種類以上の酪酸生成菌株を含むことを特徴とする請求項１から８のいずれか1項記載の組成物。
【請求項１０】
少なくとも1種類の酪酸生成菌株は、フソバクテリウム属、フェカリバクテリウム属、ユーバクテリウム属、クロストリジウム属からなるグループより選出されていることを特徴とする請求項９記載の組成物。 
【請求項１１】
更にバナジウム、ニッケル、鉄、ナトリウム、カリウムを含むことを特徴とする請求項１から１０のいずれか1項記載の組成物。
【請求項１２】
更にビタミン類、特にビタミンA、ビタミンB、ビタミンC、ビタミンD、ビタミンE、ビタミンKを含むことを特徴とする請求項１から１１のいずれか1項記載の組成物。
【請求項１３】
組成物は追加的に好ましくは哺乳動物の小腸で難吸収性の1種類以上の窒素化合物及び/又は炭水化物化合物を含むことを特徴とする請求項１から１２のいずれか1項記載の組成物。
【請求項１４】
3時間、好ましくは6時間、特に好ましくは12時間に亙って大腸内で徐々に遊離することを特徴とする請求項１から１３のいずれか1項記載の組成物。
【請求項１５】
放屁又は鼓張は次の胃腸障害、即ちフルクトース吸収不良、フルクトース不耐症、ラクトース不耐症、過敏性腸症候群、ジサッカラーゼ欠乏、トレハラーゼ欠乏、短腸症候群、過敏腸症候群、クローン病、3ヶ月仙痛、膵外分泌機能不全、胆汁酸欠乏、胃酸欠乏、抗生物質誘発性の腸内細菌叢不全、酢酸生成菌の不足、腸内細菌叢の還元的酢酸生成代謝能の不足、セリアック病、スプルー、グルテン不適合、ヒスタミン不耐症の少なくとも1つによって引き起こされることを特徴とする請求項１から１４のいずれか1項記載の組成物。
【請求項１６】
更に腸内細菌、好ましくは大腸菌属の腸内細菌を、選択により別個の調製か、又は同じガレノス式調製において含み、薬剤は代替的及び/又は追加的に下痢の治療を目的とすることを特徴とする請求項１から１５のいずれか1項記載の組成物。
【請求項１７】
代替的及び/又は追加的に抗生物質療法、ハイドロコロン療法及び洗腸又は胃腸感染の後で腸内細菌叢の回復又は再生を酢酸生成菌によって助長することを特徴とする請求項１から１６のいずれか1項記載の組成物。
【請求項１８】
経口投与又は経直腸で投与されることを特徴とする請求項１から１７のいずれか1項記載の組成物。
【請求項１９】
哺乳動物はヒトであることを特徴とする請求項１から１８のいずれか1項記載の組成物。
【手続補正書】
【提出日】平成22年12月8日(2010.12.8)
【手続補正１】
【補正対象書類名】特許請求の範囲
【補正対象項目名】全文
【補正方法】変更
【補正の内容】
【特許請求の範囲】
【請求項１】
式（Ｉ）：
ＰＲ１Ｒ２Ｒ３
（Ｉ）
（式中、Ｒ１は、Ｃ１−Ｃ８アルキルオキシ、Ｃ２−Ｃ８アルケニルオキシ及びＣ２−Ｃ８アルキニルオキシからなる群から選択され；
Ｒ２は、ハロゲン又は−ＮＲ４２であり；
Ｒ３は、式−Ｌ−Ａを有し；
各Ｒ４は、Ｃ１−Ｃ６アルキルであるか、又は結合して４〜７員複素環を形成し；
Ｌは、−Ｃ１−Ｃ１０アルキレンオキシ−であり；そして
Ａは、Ｃ２−Ｃ３０ペルフルオロアルキルであり；
そして、アルキル基は、直鎖、分岐鎖、又は環状の飽和炭化水素部分を意味する）
を有する化合物。
【請求項２】
Ｒ１が−ＯＣＨ３である、請求項１に記載の化合物。
【請求項３】
Ｒ１が−Ｏ−ＣＨ２ＣＨ＝ＣＨ２である、請求項１に記載の化合物。
【請求項４】
Ｒ１が−ＯＣＨ２ＣＨ２ＣＮである、請求項１に記載の化合物。
【請求項５】
Ｒ２が、−Ｎ（Ｍｅ）２、−Ｎ（Ｅｔ）２、−Ｎ（Ｐｒ）２、−Ｎ（ｉ−Ｐｒ）２、１−ピロリジニル、１−ピペリジニル、４−モルホリニル及び１−イミダゾリルからなる群から選択される、請求項１に記載の化合物。
【請求項６】
Ｒ３が、式−Ｏ−（ＣＨ２）ｍ（ＣＦ２）ｐＣＦ３を有し；ｍが、１、２、３、４、５、６、７、８、９又は１０であり、ｐが０、１、２、３、４、５、６、７、８、９、１０、１１、１２、１３、１４、１５、１６、１７、１８、１９、２０、２１、２２、２３、２４、２５、２６、２７、２８、２９又は３０である、請求項１に記載の化合物。
【請求項７】
オリゴヌクレオチドの伸張を阻害する方法であって、触媒の有無に関わらずオリゴヌクレオチドを化合物と接触させる工程を含み、前記化合物が、式（Ｉ）：
ＰＲ１Ｒ２Ｒ３
（Ｉ）
（式中、Ｒ１は、Ｃ１−Ｃ８アルキルオキシ、Ｃ２−Ｃ８アルケニルオキシ及びＣ２−Ｃ８アルキニルオキシからなる群から選択され；
Ｒ２は、ハロゲン又は−ＮＲ４２であり；
Ｒ３は、式−Ｌ−Ａを有し；
各Ｒ４は、Ｃ１−Ｃ６アルキルであるか、又は結合して４〜７員複素環を形成し；
Ｌは、−Ｃ１−Ｃ１０アルキレンオキシ−であり；そして
Ａは、Ｃ１−Ｃ３０ペルフルオロアルキルであり；
そして、アルキル基は、直鎖、分岐鎖、又は環状の飽和炭化水素部分を意味する）
を有する、方法。
【請求項８】
Ｘ個のヌクレオチド（Ｘは３以上の整数である）を含む修飾されたオリゴヌクレオチドの製造方法であって；
（ａ）それぞれがＸ−ｎ個のヌクレオチド単位（ｎは１〜Ｘ−１の整数である）を含む複数のオリゴヌクレオチドを、修飾されたヌクレオチド又はヌクレオシドと接触させる工程；及び
（ｂ）（ａ）の未反応物を、式（Ｉ）：
ＰＲ１Ｒ２Ｒ３
（Ｉ）
（式中、Ｒ１は、Ｃ１−Ｃ８アルキルオキシ、Ｃ２−Ｃ８アルケニルオキシ及びＣ２−Ｃ８アルキニルオキシからなる群から選択され；
Ｒ２は、ハロゲン又はＮＲ４２であり；
Ｒ３は、式−Ｌ−Ａを有し；
各Ｒ４は、Ｃ１−Ｃ６アルキルであるか、又は結合して４〜７員複素環を形成し；
Ｌは、−Ｃ１−Ｃ１０アルキレンオキシ−であり；そして
Ａは、Ｃ１−Ｃ３０ペルフルオロアルキルであり；
そして、アルキル基は、直鎖、分岐鎖、又は環状の飽和炭化水素部分を意味する）
を有する化合物を含むキャッピング試薬と接触させる工程
を含む、方法。
【請求項９】
下記式：
Ｎｕ〜ＰＯ２Ｒ３ＮＲ４２
（式中、Ｎｕは、ヌクレオシドであり；
Ｒ３は、式−ＬＡを有し；
各Ｒ４は、Ｃ１−Ｃ６アルキルであるか、又は結合して４〜７員複素環を形成し；
Ｌは、Ｃ１−Ｃ１０アルキレンオキシであり；
Ａは、Ｃ１−Ｃ３０ペルフルオロアルキルであり；そして
〜は、ヌクレオシドのヒドロキシル酸素に対する結合点を示し；
そして、アルキル基は、直鎖、分岐鎖、又は環状の飽和炭化水素部分を意味する）
を含む少なくとも１つの修飾されたヌクレオシド部分を含むオリゴヌクレオチド。
【請求項１０】
請求項１〜６又は９のいずれか１項に記載の少なくとも１つの化合物を含む、組成物。
【請求項１１】
請求項１〜６又は９のいずれか１項に記載の少なくとも１つの化合物並びに（ａ）少なくとも１つの伸張可能なモノマー；（ｂ）少なくとも１つの固体支持体；（ｃ）オリゴヌクレオチドを伸張するのに用いる少なくとも１つの触媒；（ｄ）少なくとも１つのバッファー；（ｅ）キットの成分を用いる、オリゴヌクレオチドを伸張するための少なくとも１組の指示体；及び（ｆ）キットの成分を詰めるための少なくとも１つの容器の少なくとも１つを含む、核酸の製造キット。
【手続補正書】
【提出日】平成22年12月16日(2010.12.16)
【手続補正１】
【補正対象書類名】特許請求の範囲
【補正対象項目名】全文
【補正方法】変更
【補正の内容】
【特許請求の範囲】
【請求項１】
（４Ｒ）−４−［Ｎ’−メチル−Ｎ’−（３，５−ビストリフルオロメチル−ベンゾイル）−アミノ］−４−（３，４−ジクロロベンジル）−ブト−２−エン酸 Ｎ−［（Ｒ）−ε−カプロラクタム−３−イル］−アミド、またはその薬学的に許容される塩または溶媒和物、および担体を含む、固体分散体。
【請求項２】
（４Ｒ）−４−［Ｎ’−メチル−Ｎ’−（３，５−ビストリフルオロメチル−ベンゾイル）−アミノ］−４−（３，４−ジクロロベンジル）−ブト−２−エン酸 Ｎ−［（Ｒ）−ε−カプロラクタム−３−イル］−アミド半水和物、および担体を含む、請求項１記載の固体分散体。
【請求項３】
該担体が、ポリマー、コポリマー、またはそれらの混合物である、請求項１または２記載の固体分散体。
【請求項４】
該担体が、水溶性セルロース誘導体、腸溶性セルロース誘導体、ポリビニルピロリドンまたはコポビドンである、請求項１ないし３のいずれか一項記載の固体分散体。
【請求項５】
該担体が、ヒドロキシプロピルメチルセルロース、ヒドロキシプロピルセルロース、酢酸・コハク酸ヒドロキシルプロピルメチル−セルロース、またはフタル酸ヒドロキシプロピルメチルセルロースからなる群から選択される、請求項１ないし４のいずれか一項記載の固体分散体。
【請求項６】
担体：医薬成分の重量比が、１：０．０１ないし１：０．８である、請求項１ないし５のいずれか一項記載の固体分散体。
【請求項７】
該担体が、１個以上の固着防止剤、不活性充填剤（inert filer）、界面活性剤、湿潤剤、ｐＨ調節剤または添加剤を含み得る、請求項１ないし６のいずれか一項記載の固体分散体。
【請求項８】
請求項１ないし７記載の固体分散体を、少なくとも１個の薬学的に許容される賦形剤と組み合わせて含む、医薬組成物。
【請求項９】
界面活性剤、崩壊剤、滑剤、流動促進剤、固着防止剤または結合剤からなる群から選択される１個以上の薬学的に許容される賦形剤を含む、請求項８記載の医薬組成物。
【請求項１０】
該滑剤がステアリン酸マグネシウムである、請求項９記載の医薬組成物。
【請求項１１】
該崩壊剤が、カルボキシメチルデンプンナトリウムまたはクロスポビドンである、請求項９記載の医薬組成物。
【請求項１２】
該流動促進剤がコロイド状シリカである、請求項９記載の医薬組成物。
【請求項１３】
該医薬組成物が、経口投与のための乾燥粉末である、請求項８ないし１２のいずれか一項記載の医薬組成物。
【請求項１４】
該医薬組成物が、水溶液で再構成される乾燥粉末を含むシロップ／懸濁液である、請求項８ないし１３のいずれか一項記載の医薬組成物。
【請求項１５】
該シロップ／懸濁液が、高濃度のグルコースおよび／またはフルクトース溶液である、請求項１４記載の医薬組成物。
【請求項１６】
該医薬組成物が錠剤である、請求項８ないし１３のいずれか一項記載の医薬組成物。
【請求項１７】
該錠剤がミニ錠剤である、請求項１６記載の医薬組成物。
【請求項１８】
該錠剤がフィルムコートされている、請求項１６または１７記載の医薬組成物。
【請求項１９】
（ａ）（４Ｒ）−４−［Ｎ’−メチル−Ｎ’−（３，５−ビストリフルオロメチル−ベンゾイル）−アミノ］−４−（３，４−ジクロロベンジル）−ブト−２−エン酸 Ｎ−［（Ｒ）−ε−カプロラクタム−３−イル］−アミド、またはその薬学的に許容される塩または溶媒和物および担体を溶媒中に溶解または懸濁し、溶液または懸濁液を形成する工程；および（ｂ１）該溶液または懸濁液を噴霧乾燥させ、固体分散体を乾燥粉末形態で得る工程、または（ｂ２）該溶液または懸濁液を、少なくとも１個の不活性充填剤賦形剤および少なくとも１個の固着防止剤上で噴霧造粒する工程、を含む、請求項１ないし７のいずれか一項記載の固体分散体の製造方法。
【請求項２０】
工程（ｂ２）において、該不活性充填剤が、ラクトース、スクロース、アミロース、デキストロース、マンニトールおよびイノシトール、キシリトール、微結晶セルロースのような水溶性または難水溶性化合物からなる群から選択され、好ましくはラクトース、マンニトールまたは微結晶セルロースであり、該固着防止剤が、コロイド状二酸化ケイ素およびタルクからなる群から選択される、請求項１９記載の方法。
【請求項２１】
（ａ）（４Ｒ）−４−［Ｎ’−メチル−Ｎ’−（３，５−ビストリフルオロメチル−ベンゾイル）−アミノ］−４−（３，４−ジクロロベンジル）−ブト−２−エン酸 Ｎ−［（Ｒ）−ε−カプロラクタム−３−イル］−アミド、またはその薬学的に許容される塩または溶媒和物および担体、所望により他の賦形剤を混合する工程、および（ｂ）得られた固体分散体を溶融押出する工程、を含む、請求項１ないし７のいずれか一項記載の固体分散体の製造方法。
【請求項２２】
請求項１９ないし２１のいずれか一項記載の方法により得られ得る、請求項１ないし７のいずれか一項記載の固体分散体。
【請求項２３】
請求項８ないし１３のいずれか一項記載の医薬組成物の区分化された用量を含む、ブリスター包装。
【請求項２４】
（ｉ）消化器障害、（ｉｉ）膀胱障害、または（ｉｉｉ）呼吸器疾患の処置のための、請求項８ないし１８のいずれか一項記載の医薬組成物。
【手続補正２】
【補正対象書類名】明細書
【補正対象項目名】０００３
【補正方法】変更
【補正の内容】
【０００３】
式Ｉの化合物、とりわけその半水和物は、ニューロキニン（サブスタンスＰ、ニューロキニンＡ、ニューロキニンＢ）と関係する多くの状態、例えば（ｉ）内臓過敏および／または変化した運動反応（電解質／水分泌を含む）と関係するものを含む内臓の機能性運動障害、例えば過敏性腸症候群（ＩＢＳ）、便秘、下痢、機能的消化不良、胃食道逆流疾患、機能性腹部膨満、ならびに機能性腹部痛のような機能性腸障害および機能性胃腸障害、術後内臓痛、内臓平滑筋痙攣、および過敏性膀胱のような内臓過敏と関係する他の状態、ならびに国際特許出願ＷＯ０３／６６０６２に記載の他の機能性腸障害（内臓過敏または異常な運動反応とは必ずしも関係しない）、または（ｉｉ）尿失禁のような膀胱障害（それらは、例えば、国際特許出願ＷＯ０５／３９５６３に記載の、切迫性尿失禁、緊張性失禁、混合型刺激性／緊張性失禁、または神経性失禁（排尿筋不安定および排尿筋過反射、低下した膀胱コンプライアンス、神経性尿意促迫、膀胱関連内臓痛）であり得る。）の処置に有用である。本発明は、過敏性腸症候群（ＩＢＳ）、とりわけ下痢型ＩＢＳ、および機能性消化不良（ＦＤ）の処置に特に重要である。式Ｉの化合物の製造方法は、国際特許出願ＷＯ９８／０７６９４（その内容は、参照により本明細書中に包含される。）に記載される。
【手続補正３】
【補正対象書類名】明細書
【補正対象項目名】０００５
【補正方法】変更
【補正の内容】
【０００５】
本発明により、（４Ｒ）−４−［Ｎ’−メチル−Ｎ’−（３，５−ビストリフルオロメチル−ベンゾイル）−アミノ］−４−（３，４−ジクロロベンジル）−ブト−２−エン酸 Ｎ−［（Ｒ）−ε−カプロラクタム−３−イル］−アミドが、有利な物理的および化学的安定性ならびに優れたバイオアベイラビリティプロフィールを有する固体分散体として製剤され得ることが見出された。
【手続補正書】
【提出日】平成22年11月22日(2010.11.22)
【手続補正１】
【補正対象書類名】特許請求の範囲
【補正対象項目名】全文
【補正方法】変更
【補正の内容】
【特許請求の範囲】
【請求項１】
ａ）少なくとも１つの水性成分と、ｂ）ｉ）０．１質量％〜１５質量％の量で存在する少なくとも１つの親油性成分、ｉｉ）少なくとも１つの界面活性剤、およびｉｉｉ）少なくとも１つのアルコールを含む担体と、を含むナノエマルジョンであって、前記少なくとも１つのアルコールが、少なくとも３つの炭素原子を有し、乳化粒子の平均直径が１００ｎｍ未満である、ナノエマルジョン。
【請求項２】
前記担体が水性成分中に存在するおよび／または前記ナノエマルジョンの総質量に対して、前記界面活性剤が１質量％〜３０質量％の量で存在し、前記アルコールが０．１質量％〜１０質量％の量で存在する、および／または前記水性成分が、前記ナノエマルジョンの総質量に対して、５０質量％〜９８質量％の量で存在する、および／または、前記少なくとも１つのアルコールが、イソプロピルアルコールおよび／または１−プロピルアルコールであるおよび／または前記少なくとも１つの親油性成分がトリグリセリド類および／またはそれらの混合物であるおよび／または前記少なくとも１つの界面活性剤がレシチンおよび／またはポリオキシエチレン型界面活性剤であるおよび／または前記乳化粒子の平均直径が１０〜５０ｎｍの範囲である、請求項１に記載のナノエマルジョン。
【請求項３】
請求項１から２までのいずれか１項に記載のナノエマルジョンの製造方法であって、
ａ）水性成分を提供するステップと、
ｂ）少なくとも１つの親油性成分と、少なくとも１つの界面活性剤と、少なくとも１つのアルコールとを含む担体であって、前記少なくとも１つのアルコールは少なくとも３つの炭素原子を有する担体を提供するステップと、
ｃ）前記ステップａ）の水性成分を前記ステップｂ）の担体と混合するステップと、
を含む方法。
【請求項４】
請求項１から２までのいずれか１項に記載のナノエマルジョンを含む、医薬用および／または美容用組成物。
【請求項５】
請求項１から４までのいずれか１項に定義されるナノエマルジョンと、活性剤とを含む組成物。
【請求項６】
請求項５に記載の組成物を含む、医薬用、美容用、および／または診断用組成物。
【請求項７】
請求項４から６までのいずれか１項に定義される組成物の製造方法であって、
ａ）水性成分を提供するステップと、
ｂ）少なくとも１つの親油性成分と、少なくとも１つの界面活性剤と、少なくとも１つのアルコールとを含む担体であって、前記少なくとも１つのアルコールは少なくとも３つの炭素原子を有する担体を提供するステップと、
ｃ）ナノエマルジョンを形成するために、前記ステップａ）の水性成分を前記ステップｂ）の担体と混合するステップと、
ｄ）前記ステップｃ）のナノエマルジョンの形成前および／または形成後に、前記活性剤を添加するステップと、
ｅ）場合によっては、ステップｄ）にさらなる添加剤および／または賦形剤を添加するステップと、
を含む方法。
【請求項８】
抗老化剤としての、請求項１から２までのいずれか１項に記載のナノエマルジョン、または請求項４から６までのいずれか１項に記載の組成物の美容用の使用。
【請求項９】
ウイルス関連疾患のまたは皮膚疾患のまたは細胞増殖関連疾患の処置のための請求項１から２までのいずれか１項に記載のナノエマルジョン、および／または請求項４から６までのいずれか１項に記載の組成物。
【請求項１０】
光線力学療法における使用のためのまたは増殖細胞の検出のためのまたは皮膚疾患および／または腫瘍疾患の診断のための、請求項４から６までのいずれか１項に記載の組成物。
【請求項１１】
請求項４から６までのいずれか１項に記載の組成物と、
ａ）フォトレジスト被覆と、
ｂ）前記被覆を適用部位に付着する手段と、
ｃ）前記組成物を適用部位に適用する手段と、
から選択される少なくとも１つの成分と、
を含むキット。
【請求項１２】
５−アミノレブリン酸、その誘導体、前駆体、および／または代謝生成物からなる群から選択される活性剤と、ナノエマルジョンとを含む組成物であって、前記ナノエマルジョンはアルコールを含む組成物。
【請求項１３】
ウイルス関連疾患の、皮膚疾患のまたは細胞増殖関連疾患の処置のための、または光線力学療法における使用のための、または増殖細胞の検出ための、または皮膚疾患および／または腫瘍疾患の診断ための、請求項１２に記載の組成物。
【請求項１４】
ナノエマルジョンと活性剤とを含む組成物であって、前記活性剤が前記ナノエマルジョンの粒子の外側単層に付着している組成物。
【請求項１５】
前記ウイルス関連疾患、皮膚疾患、細胞増殖関連疾患の処置のための、および／または前記光線力学療法における使用のための、請求項１４に記載の組成物。
【誤訳訂正書】
【提出日】平成22年12月15日(2010.12.15)
【誤訳訂正１】
【訂正対象書類名】明細書
【訂正対象項目名】００３１
【訂正方法】変更
【訂正の内容】
【００３１】
用語「アルキル」または「Ａ」、ならびにアルケニル、アルコキシおよびアルカノイルなどの接頭辞「alk（アルク）」を有する他の基は、炭素鎖を意味し、これは、その炭素鎖が他に定義されない限りにおいて、直鎖状であっても分枝状であってもそれらの組合せであってもよい。アルキル基の例としては、メチル、エチル、プロピル、イソプロピル、ブチル、sec−およびtert−ブチル、ペンチル、ヘキシル、ヘプチル、オクチル、ノニルなどが挙げられる。特定数の炭素原子が可能である場合、例えばＣ３〜Ｃ１０から可能である場合、用語アルキルはまた、シクロアルキル基、およびシクロアルキル構造と組み合わされた直鎖状または分枝状のアルキル鎖を含む。炭素原子の数が特定されない場合は、Ｃ１〜Ｃ６が意図される。特に好ましいのは、Ｃ１〜Ｃ４アルキルである。Ｃ１〜Ｃ４アルキルラジカルは、例えば、メチル、エチル、プロピル、イソプロピル、ブチル、イソブチル、tert−ブチルである。
【手続補正書】
【提出日】平成22年12月13日(2010.12.13)
【手続補正１】
【補正対象書類名】特許請求の範囲
【補正対象項目名】全文
【補正方法】変更
【補正の内容】
【特許請求の範囲】
【請求項１】
アンタゴニストＩＬ−４  Ｉｇ若しくはＩＬ−１３  Ｉｇ由来タンパク質を有効成分として含んでなる最低１種のヒトＩＬ−４若しくはＩＬ−１３線維症関連の病状の処置用の製薬学的製剤であって、前記ＩＬ−４若しくはＩＬ−１３  Ｉｇ由来タンパク質がｉｎ  ｖｉｖｏ、ｉｎ  ｖｉｔｒｏ若しくはｉｎ  ｓｉｔｕで前記ＩＬ−４若しくはＩＬ−１３の最低１種の生物学的活性を阻害する、上記製剤。
【請求項２】
ＩＬ−４若しくはＩＬ−１３線維症関連の病状が、間質性肺疾患、強皮症、肝線維症、腎線維症、サルコイドーシス、肥厚性瘢痕、ケロイド瘢痕、心線維症、加齢黄斑変性若しくはコラーゲン血管疾患の最低１種から選択される、請求項１に記載の製剤。
【請求項３】
Ｉｇ由来タンパク質が、生物学的活性のヒトＩＬ−４若しくはＩＬ−１３タンパク質若しくはリガンドの最低１エピトープに結合する、請求項１に記載の製剤。
【請求項４】
エピトープが、配列番号４２、４３若しくは４４の１−１０、１０−２０、２０−３０、３０−４０、４０−５０、５０−６０、６０−７０、７０−８０、８０−９０、９０−１００、１００−１１０、１１０−１２０、１２０−１３０、１３０−１４０若しくは１４０−１４５の最低１種の１、２、３、４、５、６、７、８、９、１０、１１、１２、１３若しくは１４アミノ酸よりなる群から選択される最低１〜３ないしアミノ酸配列全体を含んでなる、請求項２に記載の製剤。
【請求項５】
ＩＬ−４  Ｉｇ若しくはＩＬ−１３  Ｉｇ由来タンパク質が、最低１０-9Ｍ、最低１０-10Ｍ、最低１０-11Ｍ、若しくは最低１０-12Ｍ、若しくは最低１０-13Ｍ、若しくは最低１０-14Ｍから選択される最低１種の親和性でＩＬ−４若しくはＩＬ−１３またはＩＬ−４若しくはＩＬ−１３受容体を結合する、請求項１に記載の製剤。
【請求項６】
ＩＬ−４  Ｉｇ若しくはＩＬ−１３  Ｉｇ由来タンパク質が抗体および抗体融合タンパク質若しくは受容体融合タンパク質から選択される、請求項１に記載の製剤。
【請求項７】
細胞、組織、器官若しくは動物１キログラムあたり０．００１〜５０ｍｇのアンタゴニストＩＬ−４  Ｉｇ若しくはＩＬ−１３  Ｉｇ由来タンパク質が接触若しくは投与される、請求項１に記載の製剤。
【請求項８】
接触若しくは投与が、非経口、皮下、筋肉内、静脈内、動脈内、気管支内、腹腔内（ｉｎｔｒａａｂｄｏｍｉｎａｌ）、嚢内、軟骨内、洞内、腔内、小脳内、脳室内、結腸内、頚管内、胃内、肝内、心筋内、骨内、骨盤内、心膜内、腹腔内（ｉｎｔｒａｐｅｒｉｔｏｎｅａｌ）、胸膜腔内、前立腺内、肺内、直腸内、腎内、網膜内、髄腔内、滑液包内、胸腔内、子宮内、膀胱内、ボーラス、膣、直腸、頬側、舌下、鼻内若しくは経皮から選択される最低１様式による、請求項７に記載の製剤。